(57)【要約】      （修正有）【課題】緊密且つ堅固に蓋をする効果を向上させる支持構造を実現する紙弁当箱を提供する。【解決手段】紙弁当箱は、ボックス本体２０及びボックスカバー３０を備えている。ボックス本体は食材を盛り付けるための収容スペース２６を有し、ボックスカバーはカバー３１及び３つの翼部３２を有し、カバーはその後側辺がボックス本体に連接されていると共に収容スペースに蓋をし、外界の異物の進入を防いでいる。翼部はカバーの前側辺及びカバーの左右両側辺からそれぞれ延伸され、少なくとも１つの翼部とカバーとの間は一部分が接着され、ボックスカバーの支持構造を構成している。これにより、ボックスカバーにより蓋をすると、翼部の内周面がボックス本体の外周面に当接し、ボックスカバーの係合効果がさらに緊密で確実になる。【選択図】図２
0003235057.tif 000002
【実用新案登録請求の範囲】
【請求項１】
収容スペース及び外周面を有しているボックス本体と、
カバー及び前記カバーに連接されている翼部を有し、前記カバーは前記収容スペースに蓋をし、前記翼部は前記ボックス本体の外周面に当接しているボックスカバーと、を備えている紙弁当箱であって、
前記翼部の前記カバーに近接する部位及び前記カバーの前記翼部に近接する部位は全面的または部分的に固定されていることを特徴とする紙弁当箱。
【請求項２】
前記翼部と前記カバーとの間には折り目が形成され、前記折り目には少なくとも１つの接着部が設けられ、前記翼部の前記カバーに近接する部位及び前記カバーの前記翼部に近接する部位は全面的または部分的に接着されて固定されていることを特徴とする請求項１に記載の紙弁当箱。
【請求項３】
前記折り目には単一の前記接着部のみ設けられ、前記翼部の前記カバーに近接する部位及び前記カバーの前記翼部に近接する部位が全面的に接着されて固定されていることを特徴とする請求項２に記載の紙弁当箱。
【請求項４】
前記折り目には間隔を空けて配列されている複数の前記接着部が設けられ、前記翼部の前記カバーに近接する部位及び前記カバーの前記翼部に近接する部位が部分的に接着されて固定されていることを特徴とする請求項２に記載の紙弁当箱。
【請求項５】
底壁と、前壁と、後壁と、左側の壁と、右側の壁とを有するボックス本体であって、前記前壁、前記後壁、前記左側の壁、及び前記右側の壁は前記底壁の周縁部に連接され、且つ前記左側の壁及び前記右側の壁は前記前壁と前記後壁との間にそれぞれ連接され、前記底壁、前記前壁、前記後壁、前記左側の壁、及び前記右側の壁が共同で収容スペースを包囲しているボックス本体と、
カバー及び３つの翼部を有し、前記カバーは後側辺が前記ボックス本体の後壁に連接されていると共に前記収容スペースに蓋をし、これら前記翼部は前記カバーの前側辺及び前記カバーの左右両側辺からそれぞれ延伸されていると共に前記翼部の内周面が前記ボックス本体の前壁の外周面及び前記ボックス本体の左右側の壁の外周面にそれぞれ当接し、少なくとも１つの前記翼部と前記カバーとの間は少なくとも一部分が接着されているボックスカバーと、を備えていることを特徴とする紙弁当箱。
【請求項６】
前記カバーと各前記翼部との間には折り目を有し、前記紙弁当箱は接着部をさらに備え、前記接着部は前記折り目に全面的に延伸されるように覆設されことを特徴とする請求項５に記載の紙弁当箱。
【請求項７】
前記カバーと前記翼部のそれぞれとの間に折り目を有し、前記紙弁当箱は複数の接着部を備え、前記複数の接着部は、少なくとも一つの前記折り目に間隔を空けて配列されていることを特徴とする請求項５に記載の紙弁当箱。
【請求項８】
隣接する２つの前記翼部は連接されていることを特徴とする請求項５乃至７の何れか１項に記載の紙弁当箱。
【請求項９】
隣接する２つの前記翼部は連接されていないことを特徴とする請求項５乃至７の何れか１項に記載の紙弁当箱。
【考案の詳細な説明】
【技術分野】
【０００１】
本考案は、紙弁当箱に関し、より詳しくは、支持構造及びボックスカバーの密閉度を向上可能な紙弁当箱に関する。
【背景技術】
【０００２】
一般的なよくある紙弁当箱は通常ボックス本体及びボックスカバーで構成され、食物をボックス本体内に盛り付けた後、ボックスカバーを輪ゴムで縛ってボックス本体に固定し、食物が零れ出さないようにし、或いは埃や虫等の異物がボックス本体内に入らないようにしている。
【先行技術文献】
【特許文献】
【０００３】
【特許文献１】日本登録実用新案第３２０９６０２号公報
【考案の概要】
【考案が解決しようとする課題】
【０００４】
しかしながら、前述した従来の紙弁当箱は別途輪ゴムを使用しなければ密閉効果が得られず、環境保護の点から好ましくないほか、使用コストも高かった。
【０００５】
また、輪ゴムを使用することにより発生するコストを節約するため、以来紙弁当箱は主にボックスカバーの側辺に少なくとも１つの係着片を設置し、ボックスカバーの係着片をボックス本体の対応する係着穴内に挿入することで、輪ゴムを使用せずにボックスカバーを固定する効果を達成している（特許文献１参照）。但し、このような係着式ボックスカバーは構造支持性能が不十分であり、固定効果が不足し、ボックス本体とボックスカバーとの間に隙間ができて前述の異物がボックス本体内に進入することがあった。
【０００６】
そこで、本考案者は上記の欠点が改善可能と考え、鋭意検討を重ねた結果、合理的設計で上記の課題を効果的に改善する本考案の提案に至った。
【０００７】
本考案は、上記問題点に鑑みて本発明者の鋭意研究により成されたものであり、その目的は、支持構造を向上可能であり、緊密且つ堅固に蓋をする効果を達成する支持構造を向上可能な紙弁当箱を提供することにある。
【課題を解決するための手段】
【０００８】
上記目的を達成するための主たる考案は、収容スペース及び外周面を有しているボックス本体と、カバー及び前記カバーに連接されている翼部を有し、前記カバーは前記収容スペースに蓋をし、前記翼部は前記ボックス本体の外周面に当接しているボックスカバーと、を備えている紙弁当箱であって、前記翼部の前記カバーに近接する部位及び前記カバーの前記翼部に近接する部位は全面的または部分的に固定されている。
【０００９】
本考案の紙弁当箱はカバーと翼部との間が相互に固定される設計により、ボックスカバーの支持構造が向上し、前記ボックスカバーの係合効果がさらに緊密で確実になる。これにより、ボックスカバーとボックス本体との間の密閉性が高まり、埃や虫等の外界の異物の進入を効果的に防止する。
【００１０】
好ましくは、前記翼部と前記カバーとの間には折り目が形成され、且つ折り目には少なくとも１つの接着部が設けられ、前記翼部の前記カバーに近接する部位及び前記カバーの前記翼部に近接する部位が全面的または部分的に接着されて固定されている。
【００１１】
好ましくは、前記折り目には単一の接着部のみ設けられ、前記翼部の前記カバーに近接する部位及び前記カバーの前記翼部に近接する部位が全面的に接着されて固定されている。
【００１２】
好ましくは、前記折り目には間隔を空けて配列されている複数の接着部が設けられ、前記翼部の前記カバーに近接する部位及び前記カバーの前記翼部に近接する部位が部分的に接着されて固定されている。
【００１３】
また、上述した課題を解決し、目的を達成するために、本考案の別の態様は、支持構造を向上可能な紙弁当箱である。この支持構造を向上可能な紙弁当箱は、底壁と、前壁と、後壁と、左側の壁と、右側の壁とを有するボックス本体であって、前記前壁、前記後壁、前記左側の壁、及び前記右側の壁は前記底壁の周縁部に連接され、且つ前記左側の壁及び前記右側の壁は前記前壁と前記後壁との間にそれぞれ連接され、前記底壁、前記前壁、前記後壁、前記左側の壁、及び前記右側の壁が共同で収容スペースを包囲しているボックス本体と、カバー及び３つの翼部を有し、前記カバーは後側辺が前記ボックス本体の後壁に連接されていると共に前記収容スペースに蓋をし、これら前記翼部は前記カバーの前側辺及び前記カバーの左右両側辺からそれぞれ延伸されていると共にその内周面が前記ボックス本体の前壁の外周面及び前記ボックス本体の左右側の壁の外周面にそれぞれ当接し、少なくとも１つの前記翼部と前記カバーとの間は少なくとも一部分が接着されているボックスカバーと、を備えている。
【００１４】
好ましくは、前記カバーと各前記翼部との間はホットメルト方式で形成される１つまたは複数の接着部により接着され、前記カバーと各前記翼部との間には折り目を有し、前記折り目は前記接着部により全部被覆されているか、複数の前記接着部により部分的に被覆されている。
【００１５】
好ましくは、隣接する２つの前記翼部の間は相互に連接されるか、互いに分離して連接されていなくてもよい。
【００１６】
本考案に係る紙弁当箱の詳細な構造、特徴、組み立てまたは使用方式について、後述する実施方式の詳細な説明において詳述する。しかしながら、本考案の分野において通常知識を有する者ならば、これらの詳細な説明及び列挙する本考案の特定の実施例は、本考案を説明するためのものにすぎず、本考案の実用新案登録請求の範囲を制限するものではないことを理解できる。
【図面の簡単な説明】
【００１７】
【図１】本考案の第１実施形態に係る紙弁当箱が閉成しているときの傾斜図である。
【図２】本考案の第１実施形態に係る紙弁当箱が開かれているときの傾斜図であって、カバーと各翼部の折り目が一つの接着部で全面的に被覆されていることを示す。
【図３】図２と同じ、各折り目が複数の接着部で部分に被覆されていることを示す。
【図４】図１の４−４線に沿う断面図である。
【図５】本考案の第２実施形態に係る紙弁当箱を示す展開図である。
【図６】本考案の第３実施形態に係る紙弁当箱が閉成しているときの傾斜図である。
【図７】本考案の第３実施形態に係る紙弁当箱が開かれているときの傾斜図であって、カバーと各翼部の折り目が一つの接着部で完全に被覆されていることを示す。
【図８】図７と同じ、各折り目が複数の接着部で部分に被覆されていることを示す。
【図９】図６の９−９線に沿う断面図である。
【図１０】本考案の第４実施形態に係る紙弁当箱を示す展開図である。
【考案を実施するための形態】
【００１８】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１９】
なお、下記実施例及び実用新案登録請求の範囲の請求項を含む全明細書において、方向に関する名詞は全て図面中の方向を基準としている。また、下記実施例及び図面において、同じ部材符号は同じまたは近似する部材や構造的特徴を示している。
【００２０】
まず、図１と図２を参照すれば、本考案の第１実施形態に係る紙弁当箱１０は所定形状に裁断された紙材を折曲接着することにより形成され、紙材を折曲接着することは従来技術であるため、ここではその説明を省略する。紙材の内面及び外面にはラミネートまたは積層貼着方式によりポリエチレン（Polyethylene、PE）やポリエチレンテレフタレート（polyethylene terephthalate、PET）等を使用した材質で作成されたプラスチックフィルムが設けられ、これにより食材の油が紙材内に染み込むのを防止している。
【００２１】
本考案の第１実施形態に係る紙弁当箱１０はボックス本体２０及びボックスカバー３０を備えている（図１と図２参照）。
【００２２】
ボックス本体２０は底壁２１と、前壁２２と、後壁２３と、左側の壁２４と、右側の壁２５とを有している。前壁２２及び後壁２３は底壁２１の前後両側辺にそれぞれ連接され、左側の壁２４及び右側の壁２５は底壁２１の左右両側辺にそれぞれ連接されていると共に前壁２２と後壁２３との間にそれぞれ連接され、底壁２１、前壁２２、後壁２３、左側の壁２４、及び右側の壁２５が共同で食材を盛り付けるための収容スペース２６を包囲している。
【００２３】
ボックスカバー３０はカバー３１及び３つの翼部３２を有している。本実施例では、カバー３１はその後側辺がボックス本体２０の後壁２３に連接され、３つの翼部３２がカバー４１の前側辺及びカバー３１の左右両側辺に連接され、隣接する２つの翼部３２は本実施例では連接片を組み合わせた接着方式により連接されている。また、３つの翼部３２はカバー３１との間（すなわち、翼部３２及びカバー３１の接合箇所）に折り目３３がそれぞれ形成され、３つの折り目３３には単一の接着部３４がそれぞれ全面的に覆設されている（図２参照）。或いは、間隔を空けて配列されている複数の接着部３４がそれぞれ設けられ（図３参照）、翼部３２のカバー３１に近接する部位及びカバー３１の翼部３２に近接する部位が全面的または部分的に接着されて固定されている。本実施例では、前述の接着部３４はカバー３１の底面の各翼部３２に近接する部位及び各翼部３２の内周面のカバー３１に近接する部位に対しホットメルト及び加圧方式で加工を施し、両者の表面を被覆しているプラスチックフィルムが加熱された後に相互に接着されることで形成されているが、本考案の接着部３４の形成方式はこれに制限せず、例えば、前記接着部３４を形成したいカバー３１の底面及び各翼部３２の内周面に対し、ホットメルト接着剤等の接着剤を直接塗布して前記接着部３４を形成してもよい。前述の接着部３４を設けることにより、ボックスカバー３０の支持構造が向上して曲がって変形しにくくなり、且つ、翼部３２のカバー３１に近接する部位及びカバー３１の翼部３２に近接する部位が全面的または部分的に相互に接着されているため、翼部３２が接着力の作用を受けて内に向けて傾斜し、翼部３２がボックス本体２０に緊密に狭着される。また、ちなみに、３つの折り目３３全てに接着部３４を設ける必要はなく、少なくとも１つまたは２つの折り目３３に接着部３４を設けてボックスカバー３０の支持構造を向上する効果を達成させてもよい。
【００２４】
上述のように、図１と図４に示すように、ボックスカバー３０により蓋をすると、カバー３１が収容スペース２６に蓋をし、埃や虫等の異物が進入するのを防ぐ。その後、３つの翼部３２が接着力の作用を受けて内に向けて傾斜するため、その内周面がボックス本体２０の前壁２２の外周面及びボックス本体２０の左側の壁２４並びに右側の壁２５の外周面に緊密に当接し、ボックスカバー３０の固定が完了する。この際、各翼部３２は接着部３４の補強効果により、ボックスカバー３０に対する構造強度が高まるのみならず、ボックスカバー３０の係合効果もさらに緊密で確実となる。
【００２５】
ちなみに、ボックスカバー３０は必ずしもボックス本体２０と連接する必要はなく、図５に示すような分離式設計を採用してもよく、この場合、ボックスカバー３０には１つの翼部３２を増設する必要がある。これにより、ボックスカバー３０により蓋をする場合、４つの翼部３２をやや外に開き、４つの翼部３２を十分な角度に開いてカバー３１により収容スペース２６に蓋をする。確実に蓋をした後、４つの翼部３２が接着力の作用によりその内周面がボックス本体２０の前壁２２の外周面、ボックス本体２０の後壁２３の外周面、及びボックス本体２０の左側の壁２４並びに右側の壁２５の外周面に緊密に当接する。
【００２６】
以下、図６乃至図９を参照しながら、本考案の第２実施形態に係る紙弁当箱を詳しく説明する。
【００２７】
本考案の第２実施形態に係る紙弁当箱４０は構造が上述の実施形態と大方同じであり、主な差異は、ボックス本体５０は収容スペース５２内に少なくとも１つの仕切り構成５４がさらに設置され（仕切り構成５４の態様は多種多様であり、ここでは制限しない）、食材を違いによって分類する。ボックスカバー６０はボックス本体５０と連接されるものに限られず（図６参照）、図１０に示すような分離式設計を採用し、ボックス本体５０と分離してもよく、この場合、ボックスカバー６０には１つの翼部６２を増設する必要がある。また、隣接する２つの翼部６２の間は相互に間隔を空けていると共に連接片により組み合わせられておらず、但しそのうちの少なくとも１つの翼部６２とカバー６１との間の折り目６３には同様に前述の折り目６３を被覆するように全面的に延伸している接着部３４が設けられてもよく（図７参照）、或いは間隔を空けて配列されている複数の接着部３４が設けられてもよく（図８参照）、これによりボックスカバー６０の支持構造及び接着力を向上している。次いで、各翼部６２は相互に分離していると共に第１実施形態に示されるように連接されてはおらず、よって、各翼部６２がカバー６１に対して単独で作動し、ボックスカバー６０がボックス本体５０に蓋をする際の利便性を高めている。
【００２８】
以上を総合すると、本考案に係る紙弁当箱１０、４０は、カバー３１、６１と少なくとも１つの翼部３２、６２との間が接着される設計により、輪ゴムを別途使用せずともボックスカバー３０、６０を高速且つ安定的にボックス本体２０、５０に固定することができ、これにより使用コストを削減する目的を達成している。また、ボックスカバー３０、６０の支持構造を向上し、ボックスカバー３０、６０の係合効果をさらに緊密で確実にし、ボックスカバー３０、６０とボックス本体２０、５０との間の密閉性を高め、埃や虫等の外界の異物が進入するのを効果的に防いでいる。
【００２９】
本考案は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３０】
１０  紙弁当箱
２０  ボックス本体
２１  底壁
２２  前壁
２３  後壁
２４  左側の壁
２５  右側の壁
２６  収容スペース
２７  仕切り構成
３０  ボックスカバー
３１  カバー
３２  翼部
３３  折り目
３４  接着部
４０  紙弁当箱
５０  ボックス本体
５２  収容スペース
５４  仕切り構成
６０  ボックスカバー
６１  カバー
６２  翼部
６３  折り目
【図１】
0003235057.tif 000003
【図２】
0003235057.tif 000004
【図３】
0003235057.tif 000005
【図４】
0003235057.tif 000006
【図５】
0003235057.tif 000007
【図６】
0003235057.tif 000008
【図７】
0003235057.tif 000009
【図８】
0003235057.tif 000010
【図９】
0003235057.tif 000011
【図１０】
0003235057.tif 000012